(57)【要約】      （修正有）【課題】ラドンガスの発生量を高めてホルミシス効果を高めることができるラドン浴用パネルを提供する。【解決手段】ラドン浴用パネルは、表面側に間隙部を設けたケース部と、間隙部に配した、ラジウム鉱石を含むタイル２と、タイル２の背面側に配した、粉末状のラジウム鉱石を含浸させた含浸部３と、含浸部３の背面側に配した送風機４と、を備えたことを特徴とする。含浸部３は、ラジウム鉱石を粉末状にして水に混入し、その水をフェルトなどに含浸させて形成することができる。【選択図】図３
0003188777.tif 000002
【実用新案登録請求の範囲】
【請求項１】
ラジウム鉱石を含むタイルと、該タイルの背面側に配した、粉末状のラジウム鉱石を含浸させた含浸部と、該含浸部の背面側に配した送風機と、を備えたラドン浴用パネル。
【請求項２】
表面側に間隙部を設けたケース部と、該間隙部に配した、ラジウム鉱石を含むタイルと、該タイルの背面側に配した、粉末状のラジウム鉱石を含浸させた含浸部と、該含浸部の背面側に配した送風機と、を備えたラドン浴用パネル。
【請求項３】
表面側に矩形状の間隙部を複数設けた直方体状のケース部と、各該間隙部を塞ぐように配した、ラジウム鉱石を含むタイルと、該タイルの背面側に配した、粉末状のラジウム鉱石を含浸させた含浸部と、該含浸部の背面側に配した送風機と、を備えたラドン浴用パネル。
【請求項４】
前記含浸部は、粉末状のラジウム鉱石を含む水を含浸させたフェルトから形成してなる請求項１〜３のいずれかに記載のラドン浴用パネル。
【請求項５】
前記タイルは、素焼きして作製したものである請求項１〜４のいずれかに記載のラドン浴用パネル。
【請求項６】
前記タイルは、ラジウム鉱石とマイナスイオンを発生する鉱石と珪藻土とを焼成して作製したものである請求項１〜５のいずれかに記載のラドン浴用パネル。
【請求項７】
前記ケース部にフック部を設けた請求項１〜６のいずれかに記載のラドン浴用パネル。
【請求項８】
前記ケース部に脚部を設けた請求項１〜７のいずれかに記載のラドン浴用パネル。
【請求項９】
高さ５００ｍｍ〜７００ｍｍ、幅４００ｍｍ〜６００ｍｍ、奥行き５０ｍｍ〜１００ｍｍである請求項１〜８のいずれかに記載のラドン浴用パネル。
【考案の詳細な説明】
【技術分野】
【０００１】
本考案は、ラドンガスやマイナスイオンなどを発生することができるラドン浴用パネルに関する。
【背景技術】
【０００２】
ラドン浴は、ラジウム鉱石から発生するラドンガスを浴び、健康の維持や増進を図るものである。ラドンガスは、ラジウムのアルファ崩壊により発生するものである。秋田県仙北市にある玉川温泉、鳥取県三朝市にある三朝温泉などのラジウム温泉は、ラドンを多く含む天然のラドン浴場であり、健康の維持や増進、疲労回復、疾病の治癒などの効能があることが知られている。これら効能は、ラドンなどが放つ放射線が健康に寄与するためといわれ、ホルミシス効果によるものといわれている。ホルミシス効果とは、大量の放射線を浴びれば有害であるが、低線量の放射線は有益であり、免疫機能などを高めることができるという考えである（１９８２年米国保健物理学会誌）。
【０００３】
このようなラドン浴ができる装置としては、例えば、ラジウム鉱石片支持網を多層に敷き並べ、送風機の駆動により通風して各層網上のラジウム鉱石片からラドンガスを発生させて槽上部の取出口から取出すようにしたラドンガス発生装置があり、ラドンガスを浴室や休養室などの空間に送り出すことができるものである（下記特許文献１参照）。
他には、ラジウム鉱石を含む石板を樹脂製ケース体に納めたラドン浴用の石板ユニットがあり、これを湯船に沈めてラドン浴をできるようにしたものである（下記特許文献２参照）。
【先行技術文献】
【特許文献】
【０００４】
【特許文献１】実用新案登録第３１５１５８２号公報
【特許文献２】実用新案登録第３１４３５４８号公報
【考案の概要】
【考案が解決しようとする課題】
【０００５】
従来のラドン浴は、浴室などで行うものであるが、ラドン浴を寝室・居間・勉強部屋などで行うことができれば、手軽に健康増進を図ることができる。例えば、ラドンガスを発生する装置を壁に掛けることができれば、寝室・居間・勉強部屋などに在室しているだけでラドン浴をすることができる。また、枕元などに置けることができれば、就寝中もラドン浴をすることができる。
さらに、従来のラドンガス発生装置は、上記のように、ラジウム鉱石をそのまま或いは石板状にして用いるものが多く、ラドンガスの発生量は多いといえるものではなかった。ホルミシス効果を高めるためにはラドンガスの発生量を高めたいものであるが、石板のように固めてしまうと空気が通りにくくなりラドンガスの発生量は抑制されるものであった。
【０００６】
そこで、本考案の目的は、ラドンガスの発生量を高めてホルミシス効果を高めることができるラドン浴用パネルを提供することにあり、さらには、寝室・居間・勉強部屋などの場所でもラドン浴ができるようにしたものである。
【課題を解決するための手段】
【０００７】
本考案のラドン浴用パネルの第一形態は、ラジウム鉱石を含むタイルと、該タイルの背面側に配した、粉末状のラジウム鉱石を含浸させた含浸部と、該含浸部の背面側に配した送風機と、を備えたことを特徴とする。
このように、タイルだけでなく、その背面側に含浸部を設けることにより、相乗効果によりラドンガスの発生量を高め、ホルミシス効果を高めることができ、また、半永久的に用いることができる。
【０００８】
本考案のラドン浴用パネルの第二形態は、表面側に間隙部を設けたケース部と、該間隙部に配した、ラジウム鉱石を含むタイルと、該タイルの背面側に配した、粉末状のラジウム鉱石を含浸させた含浸部と、該含浸部の背面側に配した送風機と、を備えたことを特徴とする。
このように、ケース部を備えることにより、寝室・居間・勉強部屋などのいろいろな場所に置きやすくなる。
【０００９】
本考案のラドン浴用パネルの第三形態は、表面側に矩形状の間隙部を複数設けた直方体状のケース部と、該各間隙部を塞ぐように配した、ラジウム鉱石を含むタイルと、該タイルの背面側に配した、粉末状のラジウム鉱石を含浸させた含浸部と、該含浸部の背面側に配した送風機と、を備えたことを特徴とする。
このように、直方体状のケース部を備えることにより、床に置いたり、壁に架けたりしやすくなり、寝室・居間・勉強部屋などのいろいろな場所に設置しやすくなる。
【００１０】
上記形態のラドン浴用パネルにおいて、含浸部を、粉末状のラジウム鉱石を含む水を含浸させたフェルトから形成することができる。このようにすることにより、フェルトは空気を通しやすいためラドンガスが発生しやすくなる。
【００１１】
上記形態のラドン浴用パネルにおいて、タイルは、素焼きして作製することができ、また、ラジウム鉱石とマイナスイオンを発生する鉱石と珪藻土とを焼成して作製することができ。このようにすることにより、タイルに間隙ができて風が通りやすくなりまた、マイナスイオンを発生することもできる。
【００１２】
上記形態のラドン浴用パネルにおいて、ケース部にフック部や脚部を設けることができ、また、ケース部は高さ５００ｍｍ〜７００ｍｍ、幅４００ｍｍ〜６００ｍｍ、奥行き５０ｍｍ〜１００ｍｍに形成することができる。このようにすることにより、壁に架けたり、床に置いたりすることができ、また、持ち運びしやすいサイズになる。
【図面の簡単な説明】
【００１３】
【図１】本考案の一実施形態のラドン浴用パネルの斜視図である。
【図２】図１のラドン浴用パネルの分解斜視図である。
【図３】図１のラドン浴用パネルの断面図である。
【図４】図１のラドン浴用パネルの変形例を示し（ａ）はフック部を備えた形態を示した斜視図、（ｂ）は脚部を備えた形態を示した斜視図である。
【考案を実施するための形態】
【００１４】
以下、本考案のラドン浴用パネルの一実施形態を説明する。
【００１５】
本考案の一実施形態のラドン浴用パネル１は、図１〜図３に示すようにタイル２と、含浸部３と、送風機４とを備え、本実施形態では、これらをケース部５の内部に収納して形成してある。
【００１６】
ラドン浴用パネル１は、ラドンガスやマイナスイオンなどを発生することができるものであり、寝室・居間・勉強部屋などに置き、ラドン浴を手軽に行うことができるものである。
【００１７】
タイル２は、ラジウム鉱石を含み、ラドンガスを発生させるものであり、本実施形態では、矩形板状に形成してある。タイル２は、ラジウム鉱石の他、マイナスイオンを発生する鉱石や珪藻土などを含ませることもできる。マイナスイオンを発生する鉱石としては、トルマリン鉱石などがある。
タイル２は、素焼きしてテラコッタタイルとして作製するのが好ましい。素焼きは、例えば、粉砕したラジウム鉱石や珪藻土、必要に応じてマイナスイオンを発生する鉱石などを練り込み、成形し、１０００℃以下、好ましくは９００℃以下と低温で焼成して行うことができる。素焼きは、低温で焼成するので、タイル内部に空隙ができやすく、空気の流通がよくなり、ラジウム鉱石から発生したラドンガスを送り出しやすくなる。ラジウム鉱石は、タイル２中に２０重量％〜９０重量％含ませるのが好ましい。
【００１８】
タイル２は、矩形板状に形成する場合は、特に限定するものではないが、長さ８０ｍｍ〜１００ｍｍ、幅８０ｍｍ〜１００ｍｍ、厚さ５ｍｍ〜１５ｍｍ程に形成するのが好ましい。長方形板状や正方形板状の矩形板状の他、円形板状、長円形板状などに形成してもよい。タイル２の表面に絵柄や文字などを設けてもよい。
【００１９】
含浸部３は、粉末状のラジウム鉱石を含浸させたものであり、ラドンガスを発生させることができるものである。
含浸部３は、タイル２の背面側に配することができる。このようにすることにより、タイル２から発生するラドンガスと含浸部３から発生するラドンガスの相乗効果により、ラドンガスの発生量を増加させることができる。例えば、タイル２のみであると１０μＳｖ〜１２μＳｖ程度のラドンガス発生量であるが、タイル２と含浸部３とを組み合わせると、１８μＳｖ〜２０μＳｖのラドンガスを発生することができる。
【００２０】
含浸部３は、ラジウム鉱石を粉末状にして水に混入し、その水をフェルト（不織布）などに含浸させて形成することができる。フェルトの他、綿、合成繊維などからなる布や織物などに含浸させてもよく、通気性のよいものに含浸させるのが好ましい。含浸部３は、例えば、水１Ｌあたりに粉砕した粉末状のラジウム鉱石１ｇ〜５００ｇを混入して撹拌し、その水にフェルトなどを２〜１０時間浸し、乾燥させることにより形成することができる。
含浸部３は、特に限定するものではないが、正方形状や長方形状などの矩形状の他、円形状、長円形状などの形状に形成することができる。長方形状に形成する場合は、長さ５００ｍｍ〜７００ｍｍ、幅４００ｍｍ〜６００ｍｍ、厚さ５ｍｍ〜１５ｍｍに形成することができる。
本実施形態では、タイル２と含浸部３との間に、網状のメッシュ部６を介してある。
【００２１】
送風機４は、風を送り出すものであり、含浸部３の背面側に配することができる。送風機４から風を送り出すことにより、含浸部３及びタイル２から発生したラドンガスを室内などに充満させることができる。ラドンガスは重く床面などに貯まりやすいため、送風機４により遠方にもラドンガスを送ることができる。送風機４は、市販のものを用いることができる。
【００２２】
ケース部５は、外装を形成し、タイル２、含浸部３、送風機４等を内部に納めることができるものである。本実施形態では、ケース部５は、表面側の前面パネル５１と背面側の本体部５２とを嵌合可能に形成してある。
ケース部５は、特に限定するものではないが、長方体状、立方体状などの矩形体状や円柱体状などに形成することができ、本実施形態では縦長長方体状に形成してある。また、ケース部５は、例えば、木材、合成樹脂、金属などから形成することができる。
【００２３】
ケース部５は、高さ５００ｍｍ〜７００ｍｍ、特に５５０ｍｍ〜６５０ｍｍ、幅４００ｍｍ〜６００ｍｍ、特に４５０ｍｍ〜５５０ｍｍ、奥行き５０ｍｍ〜１００ｍｍ特に６０ｍｍ〜８０ｍｍに形成することが好ましい。この大きさにすることにより、持ち運びし易く、また、場所を取らずに配置できる。
【００２４】
前面パネル５１は、縦長長方形状枠体の開口部に縦桟と横桟とを格子状に配して複数の間隙部５３を形成してある。本実施形態では、間隙部５３は、矩形孔状に形成し、縦５列、横４列の計２０箇所形成してある。間隙部５３は、１０〜３０箇所形成してもよい。各間隙部５３には各タイル２を固定してあり、各間隙部５３を塞ぐように配するのが好ましい。タイル２は、特に限定するものではないが、間隙部５３に嵌合させたり、接着剤などで固着したりして固定することができる。なお、図２では、タイル２を一枚のみ示し、他は省略してある。
前面パネル５１の背面周囲には、後方に突出させた嵌合部５４が形成してあり、本体部５２に嵌合できるようにしてある。
【００２５】
本体部５２は、周壁を有する縦長長方形箱状に形成してあり、内部に、含浸部４、送風機５などが収納できるように形成してある。本実施形態では、送風機４は本体部５２の背面板の中央付近に固定してある。含浸部３は、例えば接着剤などにより本体部５２の周壁内面に固定することができる。本体部５２の周壁の前端面には、内周側を前方に突出させた被嵌合部５５が形成してあり、嵌合部５４と嵌合して前面パネル５１と本体部５２とを固定することができる。
本体部５２の側面の下端寄りには送風機４のスイッチ部４１を設けることが好ましく、送風機４と配線４３にて接続されて送風機４の動作の入／切を制御することができる。また、本体部５２の背面側には送風機４の電源コード４２を設けることが好ましい。
【００２６】
ケース部５には、図４（ａ）又は図４（ｂ）に示すように、フック部７や脚部８などを設けることができる。フック部７を設けることにより、壁などに架けることができる。フック部７は、特に限定するものではないが、ワイヤを円環状に形成したり、薄板に孔を設けたりして形成することができる。フック部７は、ケース部５の背面上端中央付近に設けるのが好ましい。
また、脚部８を設けることにより床などに立て置くことができる。脚部８は、例えば、図４（ｂ）に示すように、上辺の幅中間付近をケース部の下端部が嵌るように矩形状に切り欠き、かつ、上辺の両隅部を傾斜状にした一対の横長状板を対向させて配し、その底辺及び切り欠き部分底側を長方形状板で連結して形成することができる。
【００２７】
ラドン浴用パネル１は、タイル２の背面側に含浸部３を設けることにより、ラドンガス発生量を高め、ホルミシス効果を高めることができる。送風機４を作動させて風を送り出すことにより、風が含浸部３及びパネル２を通り抜けて外部へ送り出されるのでラドンガスを大量に送り出すことができ、また、遠方へも届かせることができる。
また、ケース部５を設けることにより持ち運びしやすくなる。フック部７を設けることにより壁に架けて簡易にラドン浴をすることができ、また、脚部８を設けることにより、枕元などに置くことができ、就寝中にもラドン浴をすることができる。
【００２８】
上記実施形態の構成態様は、本考案を限定するものとして挙げたものではなく、技術目的を共通にするかぎり変更は可能であり、本考案はそのような変更を含むものである。
【符号の説明】
【００２９】
１…ラドン浴用パネル
２…パネル
３…含浸部
４…送風機
４１…スイッチ部
４２…電源コード
５…ケース部
５１…前面パネル
５２…本体部
５３…間隙部
５４…嵌合部
５５…被嵌合部
６…メッシュ部
７…フック部
８…脚部
【図１】
0003188777.tif 000003
【図２】
0003188777.tif 000004
【図３】
0003188777.tif 000005
【図４】
0003188777.tif 000006